(57)【特許請求の範囲】
【請求項１】
投入開口部を有し，所定の保存物を収容する容器本体の投入開口部を開閉する容器カバーと，前記容器カバーの板面に形成された陥没部と，前記陥没部の底面に設けられ，前記容器本体の内部と外部を相互連通させる空気連通口が形成されたボス部と，所定の収容部を有し，前記陥没部の開放部を開閉する回動カバーと，前記回動カバーの収容部に着脱可能に結合されたカバー部材からなる真空バルブであって，
前記カバー部材の中央に形成された貫通孔と；
前記ボス部に着脱可能に結合される胴体部，及び前記胴体部の少なくとも一面に半径方向に延出された膜状の延出フランジ部を有する気密部材と；
前記カバー部材内に収容され，一端が前記気密部材の上側延出フランジ部と接触可能に形成された気密フランジ部，前記気密フランジ部から中央に向けて所定の高さに半球状に形成されたヘッド部，及び前記ヘッド部から上側に向かって所定高さに形成された露出バーを有し，
前記容器本体内を真空状態に保持する作動位置では，前記回動カバーが前記陥没部の前記開放部を閉鎖して，前記気密フランジの前記気密接触面が前記気密部材の前記延出フランジと気密に接触し，前記露出バーは前記貫通孔内側に下向移動し，
前記容器本体内の真空状態を解除する解除位置では，前記回動カバーが前記陥没部の前記開放部を開放して，前記気密フランジの前記気密接触面が前記気密部材の前記延出フランジ部から離脱され，前記露出バーが上向移動して前記貫通孔の外側に露出するように形成された真空保持部材と；
を含む，
ことを特徴とする真空計機能を有する真空バルブ。
【請求項２】
前記気密部材の胴体部は，少なくとも一部区間が管状体からなる，
ことを特徴とする請求項１に記載の真空計機能を有する真空バルブ。
【発明の詳細な説明】
【０００１】
【発明の属する技術分野】
本発明は，本発明は，真空計機能を有する真空バルブに関し，さらに詳細には，容器カバーを押圧することにより容器本体内部を真空状態にすることが可能な容器カバー押圧型真空保存容器の真空バルブに関する。
【０００２】
【従来の技術】
一般的に，真空保存容器は，容器本体内部の空気を真空バルブを介して管理することによって容器本体内部に保管された食品が変質することなく，長期間保存できるよう容器カバーに形成された空気連通口と，これを開閉管理することができる真空バルブを有している。かかる真空バルブが設けられた真空保存容器として，真空ポンプを使用するものと，容器カバーを手のひらで押圧して容器本体内部を真空させるものとがある。
【０００３】
従来の真空保存容器の容器カバーに設けられた真空バルブは，容器カバーに形成された空気連通口が形成されたボス部または空気連通口の外周縁に接触して空気連通口の開閉を管理するバルブ体が平坦な薄型に形成されているため，ボス部などの接触面と接触するバルブ体が正確に組み立てられていない状態であったり，または長期間の使用などによりしわがいくと容器本体内の確実な真空状態の保持が困難である，という問題があった。特に，上記真空バルブは，バルブ体のみをカバー部材内に備えており，空気連通口の開閉を管理する真空バルブの役割のみをするだけで，容器本体内の真空状態を容器本体の外部から肉眼で簡単に認識できる真空計の役割はできない，という問題もあった。
【０００４】
近年においては，容器本体内の真空状態を長期間保持するため，図７に示すように，中央に空気連通口が形成されたボス部に嵌め込まれる気密部材（１３０）を使用されている。かかる真空バルブにおいては，略円柱状をなす気密部材（１３０）の端部（１３０ａ）が単に平坦されている。
【０００５】
【発明が解決しようとする課題】
しかしながら，気密部材（１３０）の端部（１３０ａ）が単に平坦されているため，気密部材（１３０）をボス部に正確に結合できない場合には，気密部材（１３０）の端部（１３０ａ）は，水平状態を保持することができない。即ち，かかる真空バルブは，気密部材（１３０）の端部（１３０ａ）が水平状態を保持できないので，所定の気密接触面との間隙が生じ，容器本体の内部を効果的かつ確実に真空保持できない，という問題がある。
【０００６】
一方，容器本体内の真空状態を確認するため，真空バルブと別途に容器カバーの一側に真空計が設置される。しかしながら，真空バルブと別途に真空計が設けられるので，部品数が増大し，組立工数による組立時間が増加して，製造コストが上昇する，という問題がある。特に，真空バルブと真空計が所定距離だけ離間されるため，真空状態を容易に認識することができない。例えば，容器本体内に食品を収容した後，容器本体の内部を真空状態に保持させていないにも拘わらず，そのままの状態で容器を保管してしまうというミスが発生する，という問題もある。
【０００７】
したがって，本発明の目的は，容器本体の内部をより効果的かつ確実に長期間の間，真空保持できると共に，簡易な構造で，容器本体内の真空状態を容易に認識することが可能な新規かつ改良された真空計機能を有する真空バルブを提供することにある。
【０００８】
【課題を解決するための手段】
上記課題を解決するため，本発明の第１の観点によれば，容器本体の投入開口部を開閉する容器カバーと，前記容器カバーに設置され，前記容器カバーを押圧することにより容器内部の空気を流出させかつ容器内部の真空を保持するための真空保持部材とを有し，前記真空保持部材の少なくとも一部が，前記容器カバーから外部に突出するように形成されており，前記真空保持部材の突出部の突出程度が，前記容器本体内部の真空状態に応じて変化することにより，前記容器内部の真空状態が前記容器カバーの外部から認識される，ことを特徴とする真空計機能を有する真空バルブが，提供される。
【０００９】
上記記載の発明では，真空バルブの内外部へ出入りする空気をより確実に管理することができ，真空保存容器内部の真空状態を長期間保持することができる。さらに，簡易な構造で容器本体内の真空状態を外部から容易に肉眼で認識することができる。
【００１０】
また，上記課題を解決するため，本発明の第２の観点においては，開口部を有し，所定の保存物を収容する容器本体の投入開口部を開閉する容器カバーと，前記容器カバーの板面に形成された陥没部と，前記陥没部の底面に設けられ，前記容器本体の内部と外部を相互連通させる空気連通口が形成されたボス部と，所定の収容部を有し，前記陥没部の開放部を開閉する回動カバーと，前記回動カバーの収容部に着脱可能に結合されたカバー部材からなる真空バルブであって：前記カバー部材の中央に形成された貫通孔と；前記カバー部材内に収容され，一端が前記ボス部の開口表面と気密に接触可能な気密フランジ部と，前記気密フランジ部から中央に向けて所定の高さに湾曲するよう突出形成され，前記容器本体の内部が真空または真空解除されることに伴って収縮または膨張することにより前記空気連通口を開閉する略半球状のヘッド部と，を有する真空保持部材と；前記ヘッド部から上方に向けて所定の高さに延出され，前記容器本体内部の真空状態に応じて前記貫通孔から上下移動して，前記カバー部材の外部において前記容器本体内部の真空状態を表す突起と；をさらに含む，ことを特徴とする真空計機能を有する真空バルブが提供される。
【００１１】
上記記載の発明では，真空バルブの内外部へ出入りする空気をより確実に管理することができ，真空保存容器内部の真空状態を長期間保持することができる。さらに，簡易な構造で容器本体内の真空状態を外部から容易に肉眼で認識することができる。
【００１２】
上記課題を解決するため，本発明の第２の観点においては，開口部を有し，所定の保存物を収容する容器本体の投入開口部を開閉する容器カバーと，前記容器カバーの板面に形成された陥没部と，前記陥没部の底面に設けられ，前記容器本体の内部と外部を相互連通させる空気連通口が形成されたボス部と，所定の収容部を有し，前記陥没部の開放部を開閉する回動カバーと，前記回動カバーの収容部に着脱可能に結合されたカバー部材からなる真空バルブであって：前記カバー部材の中央に形成された貫通孔と；前記ボス部の開口より大きい直径を有し，前記空気連通口が形成された前記ボス部の開口表面と気密に接触可能な気密フランジ部と，前記気密フランジ部の内側から上方に向けて所定の高さに至るまで拡径され，折返し部を介してさらに上方に向けて所定の高さまで縮径される円錐体と，からなる真空保持部材と；をさらに含む，ことを特徴とする真空計機能を有する真空バルブが提供される。
【００１３】
上記記載の発明では，真空バルブの内外部へ出入りする空気をより確実に管理することができ，真空保存容器内部の真空状態を長期間保持することができる。さらに，簡易な構造で容器本体内の真空状態を外部から容易に肉眼で認識することができる。
【００１４】
上記課題を解決するため，本発明の第３の観点においては，開口部を有し，所定の保存物を収容する容器本体の投入開口部を開閉する容器カバーと，前記容器カバーの板面に形成された陥没部と，前記陥没部の底面に設けられ，前記容器本体の内部と外部を相互連通させる空気連通口が形成されたボス部と，所定の収容部を有し，前記陥没部の開放部を開閉する回動カバーと，前記回動カバーの収容部に着脱可能に結合されたカバー部材からなる真空バルブであって，前記カバー部材の中央に形成された貫通孔と；前記ボス部に着脱可能に結合される中空の胴体部と，前記胴体部の少なくとも何れかの一面に半径方向に延出された膜状の延出フランジ部を有する気密部材と；前記カバー部材内に収容され，一端が前記気密部材の延出フランジ部と接触可能に形成された気密フランジ部と，前記気密フランジ部から中央に向けて所定の高さに湾曲されるよう突出形成され，前記容器本体の内部が真空および真空解除されることによる収縮および膨張により前記空気連通口を開閉する半球状のヘッド部を有する真空保持部材と；前記ヘッド部から上方に向けて所定の高さに延出され，前記容器本体内部の真空状態に応じて前記貫通孔から上下移動して前記容器本体内部の真空状態を前記カバー部材の外部へ表出する突起と，を含むことを特徴とする真空計機能を有する真空バルブが提供される。
【００１５】
上記記載の発明では，真空バルブの内外部へ出入りする空気をより確実に管理することができ，真空保存容器内部の真空状態を長期間保持することができる。さらに，簡易な構造で容器本体内の真空状態を外部から容易に肉眼で認識することができる。
【００１６】
また，前記容器本体内を真空状態に保持する作動位置では前記気密接触面が前記気密部材と気密的に接触され，前記突起は下向移動し，前記容器本体内の真空状態を解除する解除位置では前記気密接触面が前記延出フランジ部から離脱され，前記突起は上向移動する，如く構成することができる。
【００１７】
【発明の実施の形態】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００１８】
（第１の実施の形態）
まず，図１に基づいて本実施形態にかかる真空バルブが設けられた真空保存容器の構成について説明する。なお，図１は，本実施形態にかかる第１の実施の形態にかかる真空バルブが設けられた真空保存容器の斜視図である。
【００１９】
まず，図１に示すように，本実施形態にかかる真空バルブは，開口部を有し，所定の食品を収容する容器本体（１０）と，容器本体（１０）の投入開口部を開閉する容器カバー（２０）に設けられる。
【００２０】
容器本体（１０）には，略直方体形状を有しており，例えば，肉や野菜などの各種食品を真空状態に保存するためのものであって，収容した各種食品の新鮮度および保存状態を長期間保持することができる。なお，本実施形態においては，略直方体形状の容器本体（１０）を例に挙げて説明するが，収容される食品の種類又は形状に応じて，略円筒形状および三角筒状など他の異なる形状でも実施することができる。
【００２１】
また，容器カバー（２０）の両側には，容器本体（１０）の上部に対向する両側に形成された係り顎（２１）に係り止める係止部（２２）が形成されている。
【００２２】
かかる容器本体（１０）内に食品を収容した後，容器本体（１０）の投入開口部に容器カバー（２０）を載置し，係止部（２２）を下げて，係止（２２）が係り顎（２１）に引っ掛けることにより，容器カバー（２０）を固定することができる。なお，容器カバー（２０）の開閉方法は，かかる例には，限定されない。例えば，容器カバー（２０）と容器本体（１０）の一側にヒンジ（図示せず）を設け，ヒンジを軸として容器カバー（２０）を回動させながら容器本体（１０）の投入開口部を開閉することもできる。
【００２３】
次に，図２に基づいて，第１の実施の形態にかかる真空バルブの主要部について説明する。なお，図２は，第１の実施の形態にかかる真空バルブの主要部を示す要部拡大断面図である。
【００２４】
まず，図２に示すように，容器カバー（２０）の中央領域には板面から所定の深さが陥没した陥没部（２４）が形成されている。そして，陥没部（２４）の底面には，陥没部（２４）の板面から延出したボス部（２５）が設けられている。
【００２５】
ボス部（２５）には，容器本体（１０）内の空気が外部に排出され，及び外部空気を再び容器本体（１０）に流入させるための空気流路を形成する空気連通口（２６）が形成されている。
【００２６】
陥没部（２４）の開放部には，回動カバー（３２）が設けられている。かかる回動カバー（３２）の一側と陥没部（２４）の一側開放縁部面との間には，回動カバー（３２）を回動させるためのヒンジ部（３４）が設けられている。一方，回動カバー（３２）の他側（ヒンジ部（３４）に対向する他側）には，回動カバー（３２）を把持するための把持部（３６）が設けられている。このことにより，ユーザは，把持部（３６）を把持した状態で，ヒンジ部（３４）を軸として回動カバー（３２）を回動させながら陥没部（２４）の開放部を開閉することができる。
【００２７】
このとき，ヒンジ部（３４）として，回動カバー（３２）と陥没部（２４）の一側開放縁部面のうちのいずれに形成されたヒンジ突起と，もう一つに形成され，ヒンジ突起を収容する突起収容部（図示せず）で構成することができる。なお，ヒンジ突起および突起収容部には，参照符号を付さずに，その全体をヒンジ部（３４）として参照符号を付与して説明する。
【００２８】
また，回動カバー（３２）には，後述する真空保持部材（５０：５０ａ，５０ｂ）が収容される収容部（４１）が形成されている。収容部（４１）には，通常のカバー部材（４５）が着脱可能に結合されている。カバー部材（４５）の下面は開放されており，上面には貫通孔（４６）が形成されている。
【００２９】
陥没部（２４）と，カバー部材（４５）内には，容器本体（１０）の内部を真空および真空解除させる真空保持部材（５０）が設けられている。真空保持部材（５０）は，ボス部（２５）の開部と比較して大きい直径で形成され，ボス部（２５）の表面と気密に接触する気密フランジ部（５１）と，半球状のヘッド部（５２）とを含む。
【００３０】
ヘッド部（５２）には，ヘッド部（５２）の上側に延出され，カバー部材（４５）に形成された貫通孔（４６）を通し，外側へ所定長さ露出する突起（５３）が形成されている。なお，上記真空保持部材（５０）および突起（５３）は，軟質シリコン樹脂で形成されるのが好ましい。
【００３１】
真空保持部材（５０）は，容器本体（１０）内を真空状態に保持するために，容器カバー（２０）を手の平で押圧する作動位置では，容器カバー（２０）が容器本体（１０）内部に押圧され，押圧された分だけ，容器本体（１０）内部の空気が，気密フランジ部（２５）が気密接続されたボス部（２５）の開口表面との間隙を開き，空気を容器本体（１０）の外側に排出させる。
【００３２】
一方，容器カバー（２０）を押圧していた手を離して解除させると，容器本体（１０）の内部では，瞬間的に空気吸引作用が発生する。このことにより，真空保持部材（５０）の気密フランジ部（５１）は，ボス部（２５）の開口表面に瞬間的に吸着されるので真空状態を保持することができる。このとき，突起（５３）は，作動位置から下方に移動し，解除位置から上方に浮上するので，ユーザは容器本体（１０）内部の真空可否を外部から容易に認識することができる。
【００３３】
（第２の実施の形態）
次に，図３に基づいて，第２の実施の形態にかかる真空バルブの構成を説明する。なお，図３は，第２の実施の形態にかかる真空バルブの構成を示す断面図である。
【００３４】
まず，図３に示すように，本実施形態にかかる真空保持部材（５０ａ）は，第１の実施の形態と異なり，ボス部（２５）の開口と比較して大きい直径の気密フランジ部（５１ａ）と，折畳部（５５）を有する。かかる真空保持部材（５０ａ）により，空気連通口（２６）が形成されたボス部（２５）の周辺と接触して気密保持が可能である。
【００３５】
かかる真空保持部材（５０ａ）は，気密フランジ部（５１ａ）の内側から所定高さに拡径され，上方に向けて折畳部（５５）を有し，さらに，再び中央に向けて所定高さに縮径される円錐体が形成されている。かかる円錐体の先部（５３ａ）は，真空作動状態および解除状態に応じて，カバー部材（４５）の貫通孔（４６）から上下移動するので，容器本体（１０）内部の真空状態を容易に認識することができる。
【００３６】
なお，本実施形態においては，カバー部材（４５）に形成された貫通孔（４６）の口径は，上記第１の実施の形態にかかる突起（５３）が通過する貫通孔（４６）の口径よりも大きく形成する必要がある。
【００３７】
（第３の実施の形態）
次に，図４に基づいて，第３の実施の形態にかかる真空バルブの構成を説明する。なお，図４は，第３の実施の形態にかかる真空バルブの構成を示す断面図である。
【００３８】
本実施形態においては，ボス部（２５）の上部には，中空の気密部材（３０）が着脱可能に結合されている。かかる気密部材（３０）は，例えば，空気を遮断するために弾性材である軟質シリコン樹脂から形成することができる。かかる気密部材（３０）は，ボス部（２５）の上部に嵌め込まれることにより，後述する回動カバー（３２）の作動時に，真空保持部材（５０ｂ）と共に容器本体（１０）内部を真空に保持させることができる。
【００３９】
気密部材（３０）は，図５に示すように，中空の胴体部（３５）と，胴体部（３５）の上段及び下段に半径方向の外側に延出された膜状の延出フランジ部（３１，３３）を有する。以下，説明の便宜のため，上部に形成された延出フランジ部を第１の延出フランジ部（３１）とし，下部に形成された延出フランジ部を第２の延出フランジ部（３３）として説明する。
【００４０】
かかる気密部材（３０）は，胴体部（３５）がボス部（２５）の上部からその外側に嵌め込まれると，第１の延出フランジ部（３１）がボス部（２５）の上段よりも高くなるように配設される。
【００４１】
カバー部材（４５）内には，気密部材（３０）と合わせて容器本体（１０）の内部を真空および真空解除させる真空保持部材（５０ｂ）が設けられている。かかる真空保持部材（５０ｂ）は，下面に形成された気密フランジ部（５１ｂ）および半球状のヘッド部（５２ｂ）からなる。
【００４２】
ヘッド部（５２ｂ）には，ヘッド部（５２ｂ）から延出され，カバー部材（４５）に形成された貫通孔（４６）を介して外側へ所定の長さが表出される突起（５３ｂ）が形成されている。かかる突起（５３ｂ）は，通常のプラスチック材質で形成することも可能であるが，突起（５３ｂ）及びヘッド部（５２ｂ）は共に，弾性材料である軟質シリコン樹脂で形成するのが好ましい。
【００４３】
かかる真空保持部材（５０ｂ）は，容器本体（１０）内を真空状態に保持する作動位置では，気密フランジ部（５１ｂ）が気密部材（３０）の第１の延出フランジ部（３１）と気密的に接触している。容器本体（１０）内の真空状態を解除する解除位置では，気密フランジ部（５１ｂ）が第１の延出フランジ部（３１）から離脱される。したがって，突起（５３ｂ）は，作動位置から下方に移動し，解除位置から上方に浮上するので，ユーザは容器本体（１０）の内部が真空されているかを肉眼で容易に認識することができる。
【００４４】
一方，ボス部（２５）の下部には，空気連通口（２６）を介して容器本体（１０）の内外側へ空気が流れる場合に，空気の流れを聴覚的に伝達して真空状態の有無を確認する音発生部（２８）が設けられている。
【００４５】
また，収容部（４１）の内壁面には，円周方向に沿って複数の切取スロット（４２）が形成されている。カバー部材（４５）には，回転時に，切取スロット（４２）に段階的に係止される係レバー（４７）が形成されている。かかる係レバーは，カバー部材（４５）の下方の一部分を切り取ることにより形成することができる。
【００４６】
かかる切取スロット（４２）と係レバー（４７）により，カバー部材（４５）は，収容部（４１）内で段階的に回転することができる。カバー部材（４５）の上面には，周方向に沿って日付パターン（４８）が形成されており，回動カバー（３２）の板面には指示パターン（３８）が形成されている。したがって，収容部（４１）内でカバー部材（４５）を段階的に回転させながら所望の日付パターン（４８）が所定の指示パターン（３８）位置に配置されるようにすることにより，最初に食品を真空させた日付，あるいは真空保存残余日などを随時チェックすることができる。
【００４７】
次に，本実施形態にかかる真空バルブの作動方法について説明する。
【００４８】
まず，容器本体（１０）内に所定の食品を収納する。その後，容器カバー（２０）を容器本体（１０）の投入開口部に載置し，係止部（２２）を下げて係止部（２２）が係り顎に係止して容器カバー（２０）を固定する。
【００４９】
次に，把持部（３６）を把持した状態でヒンジ部（３４）を軸にして回動カバー（３２）を回動させながら陥没部（２４）の開放部を閉鎖する。かかる回動カバー（３２）が陥没部（２４）の開放部を閉鎖した状態においては，真空保持部材（５０）の気密接触面（５１ａ）が気密部材（３０）の第１の延出フランジ部（３１）に接触した状態となる。
【００５０】
このような状態において，容器カバー（２０）の板面を容器本体（１０）に向けて加圧すると，容器本体（１０）内に存在している空気は，ボス部（２５）に設けられている空気連通口（２６）を介して外部に排出される。このとき，空気連通口（２６）を通過する空気は音発生部（２８）により聴覚的な音を発生するようになる。
【００５１】
容器カバー（２０）を加圧して容器本体（１０）内の空気を外部へ排出させる過程において，真空保持部材（５０ｂ）の気密接触面（５１ｂ）は，気密部材（３０）の第１の延出フランジ部（３１）と気密的に接触する。即ち，膜状になっている第１の延出フランジ部（３１）は，胴体部（３５）に向けて気密に圧縮されながら，真空保持部材（５０ｂ）の気密フランジ部（５１ｂ）に完全に面接触した状態になる。
【００５２】
したがって，従来とは異なり，真空保持部材（５０ｂ）と気密部材（３０）との間に間隙が生じて空気が漏洩することが防止され，容器本体（１０）の内部をより確実に真空保持することができる。
【００５３】
さらに，このとき，容器カバー（２０）の加圧により第１の延出フランジ部（３１）と圧縮された真空保持部材（５０ｂ）は，第１の延出フランジ部（３１）が圧縮された距離と合わせて容器本体（１０）の内部が真空圧縮される状態だけ下方に移動される。したがって，真空保持部材（５０ｂ）のヘッド部（５２ｂ）に形成された突起（５３ｂ）は，貫通孔（４６）を介してカバー部材（４５）の内側に所定距離だけ下向に移動する。このように，ユーザは，突起（５３ｂ）が下向に移動した状態により，容器本体（１０）内部の真空保持状態を容易に肉眼で認識することができる。
【００５４】
このように，容器カバー（２０）を押圧することにより容器本体（１０）内が真空状態に保持されるので，容器本体（１０）内に収容された食品の新鮮度および保存状態を長期間保持することができる。
【００５５】
一方，容器本体（１０）内の食品を使用しようとする場合には，把持部（３６）を把持した状態でヒンジ部（３４）を軸として回動カバー（３２）を回動させながら，陥没部（２４）の開放部を開放する。このことにより，真空保持部材（５０ｂ）の気密接触面（５１ｂ）は，第１の延出フランジ部（３１）から離脱されると共に，外部空気は空気連通口（２６）及び音発生部（２８）を介して容器本体（１０）内に流入され，容器本体（１０）の真空状態が解除される。このとき，音発生部（２８）では，所定の聴覚的な音が発生し，真空保持部材（５０ｂ）のヘッド部（５２ｂ）に形成された突起（５３ｂ）は，原位置へ上向きに浮上して容器本体（１０）の内部が真空解除された状態が示される。
【００５６】
その後，容器カバー（２０）の係止部（２２）を上げて，容器本体（１０）の係り顎から係りが解除し，容器本体（１０）の投入開口部から容器カバー（２０）を分離することにより，容器本体（１０）内に収容された食品を使用することができる。
【００５７】
本実施形態においては，真空保持部材（５０）（５０ａ）（５０ｂ）と気密部材（３０）の構造が改善されたので，容器本体（１０）の内部をより効果的かつ確実に真空保持することができる。さらに，容器本体（１０）が真空および真空解除されることにより昇降される突起（５３）（５３ａ）が設けられているので，容器本体（１０）内の真空状態を容易に肉眼で認識することができる。
【００５８】
以上，添付図面を参照しながら本発明の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【００５９】
例えば，上記第３の実施の形態における形状の気密部材（３０）以外にも，他の形状の気密部材を使用することができる。例えば図６ａ〜図６ｅに示すような形状の気密部材（３０ａ〜３０ｅ）を使用することができる。
【００６０】
例えば，上記実施形態においては，食品を容器本体内に収容する例を挙げて説明したが，かかる例には限定されない。真空状態で保存する必要がある物であれば，いかなる物でも収容することができる。
【００６１】
図６ａに示した気密部材（３０ａ）は，胴体部（３５ａ）が部分的な二重管状体になっており，第１および第２の延出フランジ部（３１ａ，３３ａ）がすべて半径方向の外側に延出されている。図６ｂに示す気密部材（３０）は，第１の延出フランジ部（３１ｂ）が半径方向の内側に延出されており，第２の延出フランジ部（３３ｂ）は半径方向の外側に延出されている。
【００６２】
図６ｃに示した気密部材（３０ｃ）は，図６ｂの気密部材（３０ｂ）で胴体部（３５ｃ）を二重管状体に変更している。図６ｄに示した気密部材（３０ｄ）は第１の延出フランジ部（３１ｄ）は半径方向内側に延出されており，第２の延出フランジ部（未図示）は形成されていない。図６ｅに示された気密部材（３０ｅ）もやはり第２の延出フランジ部は形成されておらず，第１の延出フランジ部（３１ｅ）が半径方向の外側に延出されている。
【００６３】
【発明の効果】
真空バルブの内外部へ出入りする空気をより確実に管理することができ，真空保存容器内部の真空状態を長期間保持することができる。さらに，簡易な構造で容器本体内の真空状態を外部から容易に肉眼で認識することができる。
【図面の簡単な説明】
【図１】図１は，第１の実施の形態にかかる真空バルブが設けられた真空保存容器の斜視図である。
【図２】図２は，図１における要部の拡大断面図である。
【図３】図３は，第２の実施の形態にかかる真空バルブの断面図である。
【図４】図４は，第３の実施の形態にかかる真空バルブの設置状態を示した断面図である。
【図５】図５は，第３の実施の形態にかかる気密部材の部分切取斜視図である。
【図６】図６ａ〜図６ｅは，他の実施の形態にかかる気密部材を示した断面図である
【図７】図７は，従来の真空保存容器に設けられた気密部材の部分切取斜視図である。
【符号の説明】
１０  容器本体
２０  容器カバー
２１  係り顎
２２  係止部
２４  陥没部
２５  ボス部
２６  空気連通口
２８  音発生部
３０  気密部材
３１  第１延出フランジ部
３２  回動カバー
３３  第２延出フランジ部
３４  ヒンジ部
３８  指示パターン
４２  切取スロット
４５  カバー部材
４７  係レバー
５０，５０ａ，５０ｂ  真空保持部材
５１，５１ａ，５１ｂ  気密フランジ部
５２，５２ｂ  ヘッド部
５３，５３ｂ  突起
５３ａ  先部
５５  折畳部
【図１】
0003742789.tif 000002
【図２】
0003742789.tif 000003
【図３】
0003742789.tif 000004
【図４】
0003742789.tif 000005
【図５】
0003742789.tif 000006
【図６】
0003742789.tif 000007
0003742789.tif 000008
0003742789.tif 000009
0003742789.tif 000010
0003742789.tif 000011
【図７】
0003742789.tif 000012